(57)【特許請求の範囲】
【請求項１】
可動鉄心をソレノイド励磁で吸引復帰作動できるソレノイドアクチュエータはソレノイドと、該ソレノイドに内設され掛合中孔部を有する可動鉄心と、該可動鉄心を脱出方向に常時弾発付勢している弾発体と、からなり、該可動鉄心に延設される横杆は横杆本体と、該掛合中孔部と掛合するために一端部に設けられた掛合小径凸設軸と、他端部寄りに設けられた凹部と、からなり、洗濯機の扉を掛止できる槓杆は槓杆本体と、該横杆の凹部に嵌脱自在な縦杆と、該縦杆の端部面と、該可動鉄心の頭部を該ソレノイド方向に押すことができ該端部面の上部に設けられた凸部と、からなり、小箱と、該ソレノイドアクチュエータと、該横杆と、該槓杆と、該槓杆を常時弾発付勢している巻線ばねと、からなる扉掛止装置において、該横杆には該一端部の側面に横杆掛止爪を設け、該槓杆には該端部面の下部に縦杆掛止爪を設けたことを特徴とする洗濯機のソレノイドアクチュエータ式扉掛止装置。
【請求項２】
可動鉄心をソレノイド励磁で吸引復帰作動できるソレノイドアクチュエータはソレノイドと、該ソレノイドに内設され掛合中孔部を有する可動鉄心と、該可動鉄心を脱出方向に常時弾発付勢している弾発体と、からなり、該可動鉄心に延設される横杆は横杆本体と、該掛合中孔部と掛合するために一端部に設けられた掛合小径凸設軸と、該一端部の側面に設けられた横杆掛止爪と、他端部寄りに設けられた凹部と、からなり、洗濯機の扉を掛止できる槓杆は槓杆本体と、該横杆の凹部に嵌脱自在な縦杆と、該縦杆の端部面と、該可動鉄心の頭部を該ソレノイド方向に押すことができ該端部面の上部に設けられた凸部と、該端部面の下部に設けられた縦杆掛止爪と、からなり、小箱と、該ソレノイドアクチュエータと、該横杆と、該槓杆と、該槓杆を常時弾発付勢している巻線ばねと、からなる扉掛止装置において、
該扉の閉作動に連動して該槓杆が回転すると、先ず該凸部が該可動鉄心の頭部を摺動して外れ、次に該縦杆掛止爪が該横杆の凹部から摺動して外れ、そして該弾発体の押力で該可動鉄心は該横杆方向に摺動し、該横杆掛止爪は該端部面を摺動して該扉が掛止され、
該可動鉄心をソレノイド励磁で吸引復帰作動或いは該横杆の他端部を該ソレノイド方向に手動押し作動することにより、該横杆掛止爪が該端部面を摺動して外れ、該巻線ばねの押力で該槓杆が反転復帰し、該縦杆掛止爪が該横杆の凹部を摺動し、該凸部が該可動鉄心の頭部を摺動して該扉が自動開放されることを特徴とする洗濯機のソレノイドアクチュエータ式扉掛止装置。
【請求項３】
扉が掛止されている時に、強制的に該扉を開こうとした場合、縦杆掛止爪が横杆掛止爪を乗り越えなければ、槓杆が反転復帰しないので、容易に該扉を開けることが出来ないことを特徴とする請求項１又は２記載の洗濯機のソレノイドアクチュエータ式扉掛止装置。
【発明の詳細な説明】
【０００１】
【発明の属する技術分野】
本発明は、洗濯機の扉を電磁掛止する扉掛止装置に係るものであり、詳しくは扉が掛止されている時に、強制的に該扉を開こうとした場合、容易に該扉が開作動しないように工夫した洗濯機の扉掛止装置の改善に関する。
【０００２】
【従来の技術】
従来、洗濯機の扉掛止装置においては小箱と、ソレノイドアクチュエータと、横杆と、槓杆と、該槓杆を常時弾発付勢している巻線ばねと、からなるものがある。
可動鉄心をソレノイド励磁で吸引復帰作動できるソレノイドアクチュエータは、ソレノイドと、該ソレノイドに内設され掛合中孔部を有する可動鉄心と、該可動鉄心を脱出方向に常時弾発付勢している弾発体と、からなる。
該可動鉄心に延設される横杆は、横杆本体と、該掛合中孔部と掛合するために一端部に設けられた掛合小径凸設軸と、他端部寄りに設けられた凹部と、からなる。
洗濯機の扉を掛止できる槓杆は、槓杆本体と、該横杆の凹部に嵌脱自在な縦杆と、該縦杆の端部面と、該可動鉄心の頭部を該ソレノイド方向に押すことができ該端部面の上部に設けられた凸部と、からなる。
【０００３】
洗濯機の扉を閉めると、該扉の閉作動に連動して該槓杆が回転し、先ず該凸部が該可動鉄心の頭部を摺動して外れ、次に該一端部の側面は該端部面を摺動し、そして該弾発体の押力で該可動鉄心は該横杆方向に摺動して該扉が掛止されるようになっている。
【０００４】
洗濯機が指定の洗濯又は脱水工程を終了すると、該可動鉄心をソレノイド励磁で吸引復帰作動させる。すると、該一端部の側面が該端部面を摺動して外れ、該巻線ばねの押力で該槓杆が反転復帰し、該凸部が該可動鉄心の頭部を摺動して該扉が自動開放されるようになっている。
【０００５】
【発明が解決しようとする課題】
しかしながら、従来の洗濯機の扉掛止装置においては、扉が掛止されている時に、強制的に該扉を開こうとした場合、簡単に該一端部の側面が該端部面を乗り越えてしまい、該扉が開いてしまうという信頼性の問題点があった。
【０００６】
本発明は、従来の技術の有するこのような問題点を鑑みてなされたものであり、その目的とするところは、洗濯機の扉を容易に開けることが出来ない洗濯機のソレノイドアクチュエータ式扉掛止装置を提供しようとするものである。
【０００７】
【課題を解決するための手段】
上記目的を達成するために、本発明の洗濯機のソレノイドアクチュエータ式扉掛止装置においては、構成（ハード）的には、可動鉄心をソレノイド励磁で吸引復帰作動できるソレノイドアクチュエータはソレノイドと、該ソレノイドに内設され掛合中孔部を有する可動鉄心と、該可動鉄心を脱出方向に常時弾発付勢している弾発体と、からなり、該可動鉄心に延設される横杆は横杆本体と、該掛合中孔部と掛合するために一端部に設けられた掛合小径凸設軸と、他端部寄りに設けられた凹部と、からなり、洗濯機の扉を掛止できる槓杆は槓杆本体と、該横杆の凹部に嵌脱自在な縦杆と、該縦杆の端部面と、該可動鉄心の頭部を該ソレノイド方向に押すことができ該端部面の上部に設けられた凸部と、からなり、小箱と、該ソレノイドアクチュエータと、該横杆と、該槓杆と、該槓杆を常時弾発付勢している巻線ばねと、からなるものであって、該横杆には該一端部の側面に横杆掛止爪を設け、該槓杆には該端部面の下部に縦杆掛止爪を設けたことを特徴とする。
【０００８】
作用（ソフト）的には、洗濯機の扉の閉作動に連動して該槓杆が回転すると、先ず該凸部が該可動鉄心の頭部を摺動して外れ、次に該縦杆掛止爪が該横杆の凹部から摺動して外れ、そして該弾発体の押力で該可動鉄心は該横杆方向に摺動し、該横杆掛止爪は該端部面を摺動して該扉が掛止され、
該可動鉄心をソレノイド励磁で吸引復帰作動或いは該横杆の他端部を該ソレノイド方向に手動押し作動することにより、該横杆掛止爪が該端部面を摺動して外れ、該巻線ばねの押力で該槓杆が反転復帰し、該縦杆掛止爪が該横杆の凹部を摺動し、該凸部が該可動鉄心の頭部を摺動して該扉が自動開放されることを特徴とする。
【０００９】
そして、扉が掛止されている時に、強制的に該扉を開こうとした場合、縦杆掛止爪が横杆掛止爪を乗り越えなければ、槓杆が反転復帰しないので、容易に該扉を開けることが出来ないことを特徴とする。
【００１０】
【発明の実施の形態】
発明の実施の形態について図面を参照して説明する。
図１は洗濯機の扉が開いている時の本発明の一実施例の洗濯機のソレノイドアクチュエータ式扉掛止装置９０の正面図である。又、図２は図１のＡ−Ａ断面拡大図である。
ソレノイドアクチュエータ１０は、ソレノイド３０と、該ソレノイド３０に内設され掛合中孔部４１を有する可動鉄心４０（例えば、ステンレススチール平板）と、該可動鉄心４０を脱出方向に常時弾発付勢している弾発体６０（例えば、ステンレススチール線）と、からなる。
【００１１】
該可動鉄心４０に延設される横杆５０（例えば、ＰＯＭ樹脂の一体形成部材）は、横杆５０本体と、該掛合中孔部４１と掛合するために一端部に設けられた掛合小径凸設軸５１と、該一端部の側面に設けられた横杆掛止爪５２と、他端部寄りに設けられた凹部５３と、からなる。
【００１２】
洗濯機の扉を掛止できる槓杆７０（例えば、ＡＢＳ樹脂の一体形成部材）は、槓杆７０本体と、該横杆５０の凹部５３に嵌脱自在な縦杆７２と、該縦杆７２の端部面７１と、該可動鉄心４０の頭部４２を該ソレノイド３０方向に押すことができ該端部面７１の上部に設けられた凸部７３と、該端部面７１の下部に設けられた縦杆掛止爪７４と、からなる。
【００１３】
本発明の一実施例の洗濯機のソレノイドアクチュエータ式扉掛止装置９０は、小箱２０（例えば、ＰＰ樹脂）と、該ソレノイドアクチュエータ１０と、該横杆５０と、該槓杆７０と、該槓杆７０を常時弾発付勢している巻線ばね８０（例えば、ステンレススチール線）と、からなる。
洗濯機の扉は、該槓杆７０に係合させて該洗濯機の箱体に取り付けることにより、該扉の閉作動に連動して該槓杆７０が回転し掛止される。そして、該槓杆７０を電磁掛止解除しなければ、該槓杆７０は反転復帰せず、又連動して該扉の開作動しないように構成されているものである。
【００１４】
不図示ではあるが、一実施例としてのソレノイド３０は、銅線３２を円筒状のボビン３１に巻いて端子片３３に接続し電気絶縁材３６（例えば、ポリエステル樹脂、エポキシ樹脂、シリコーン樹脂、ウレタン樹脂等の接着シール材等で、他の材質の防水対策材、防湿対策材、結露対策材用等のものも含む。）で封止し、固定鉄心３４を有するヨーク３５を、例えば、コ字状に囲繞したものである。
【００１５】
作用的には、洗濯機の扉の閉作動に連動して該槓杆７０が回転すると、先ず該凸部７３が該可動鉄心４０の頭部４２を摺動して外れ、次に該縦杆掛止爪７４が該横杆５０の凹部５３から摺動して外れ、そして該弾発体６０の押力で該可動鉄心４０は該横杆５０方向に摺動し、該横杆掛止爪５２は該端部面７１を摺動して該扉が掛止される。
【００１６】
図３は洗濯機の扉が閉じている時の本発明の一実施例の洗濯機のソレノイドアクチュエータ式扉掛止装置９０の正面図である。又、図４は図３のＢ−Ｂ断面拡大図である。
該可動鉄心４０をソレノイド３０励磁で吸引復帰作動或いは該横杆５０の他端部５４を該ソレノイド３０方向に手動押し作動することにより、該横杆掛止爪５２が該端部面７１を摺動して外れ、該巻線ばね８０の押力で該槓杆７０が反転復帰し、該縦杆掛止爪７４が該横杆５０の凹部５３を摺動し、該凸部７３が該可動鉄心４０の頭部４２を摺動して該扉が自動開放される。
【００１７】
そして、洗濯機の扉が掛止されている時に、強制的に該扉を開こうとした場合、縦杆掛止爪７４が横杆掛止爪５２を乗り越えなければ、槓杆７０が反転復帰しないので、該扉を容易に開けることが出来ない。
【００１８】
以上、本発明の好適な実施の形態について述べてきたが、本発明は上述する実施の形態に限定されるものでなく、発明の精神を逸脱しない範囲で多くの組合せ、改変等を施し得るのはもちろんである。
【００１９】
【発明の効果】
本発明の洗濯機のソレノイドアクチュエータ式扉掛止装置においては、洗濯機の扉が掛止されている時に、強制的に該扉を開こうとした場合、縦杆掛止爪が横杆掛止爪を乗り越えなければ、槓杆が反転復帰しないので、該扉を容易に開けることが出来ないという効果を奏する。
【図面の簡単な説明】
【図１】洗濯機の扉が開いている時の本発明の一実施例の洗濯機のソレノイドアクチュエータ式扉掛止装置の正面図である。
【図２】図１のＡ−Ａ断面拡大図である。
【図３】洗濯機の扉が閉じている時の本発明の一実施例の洗濯機のソレノイドアクチュエータ式扉掛止装置の正面図である。
【図４】図３のＢ−Ｂ断面拡大図である。
【符号の説明】
１０…ソレノイドアクチュエータ、２０…小箱、３０…ソレノイド、３１…ボビン、３２…銅線、３３…端子片、３４…固定鉄心、３５…ヨーク、３６…電気絶縁材、４０…可動鉄心、４１…掛合中孔部、４２…頭部、５０…横杆（横杆本体）、５１…掛合小径凸設軸、５２…横杆掛止爪、５３…凹部、５４…他端部、６０…弾発体、７０…槓杆（槓杆本体）、７１…端部面、７２…縦杆、７３…凸部、７４…縦杆掛止爪、８０…巻線ばね、９０…扉掛止装置
【図１】
0003587509.tif 000002
【図２】
0003587509.tif 000003
【図３】
0003587509.tif 000004
【図４】
0003587509.tif 000005